(57)【要約】【課題】携帯電話の保護ケーシングが仕様化され、薄膜保護フィルムが用いられている下で、突起のある携帯電話の表面付着部位において、保護フィルムが浮遊又は離脱しやすい不利点を防止でき、また、様々な付着部位に相応して密着力を強化することで、特定の携帯電話の構造によらず、汎用的に活用できる保護フィルム構造を提供すること。【解決手段】携帯電話の保護フィルム構造であって、保護フィルム１０の側壁１１から所定の長さだけ保護フィルムの内側に向かって窪みが形成され始める導入部２１、３１、４１、５１、６１と、導入部２１、３１、４１、５１、６１から保護フィルム１０の内側に延び、その外側よりも内側が狭幅となる形状を有する内側延長部２２、３２、４２、５２、６２と、内側延長部２２、３２、４２、５２、６２の端部で曲線状に形成されている先端部２３、３３、４３、５３、６３と、を備えた接着促進手段を少なくとも一つ含んでいる。【選択図】図１
2009505606.tif 000002
【特許請求の範囲】
【請求項１】
携帯電話の保護フィルム構造であって、
保護フィルム（１０）の側壁（１１）が、保護フィルムの内側に向けて、一定の長さだけ、窪んで形成され始める導入部(２１、３１、４１、５１、６１)と、
内側の幅が外側の幅よりも狭くなるように、前記導入部(２１、３１、４１、５１、６１)から保護フィルム(１０)の内側に向かって延びる、内側延長部(２２、３２、４２、５２、６２)と、
前記内側延長部(２２、３２、４２、５２、６２)の終端に曲線状に形成された先端部(２３、３３、４３、５３、６３)と、
を備えた少なくとも一つの接着促進手段(２０、３０、４０、５０、６０)を含んでいる携帯電話の保護フィルム構造。
【請求項２】
前記導入部(２１)と前記保護フィルムの前記側壁(１１)との境界部位を曲線状にすることによって形成された切片部(２４)を、更に含む請求項１に記載の携帯電話の保護フィルム構造。
【請求項３】
前記導入部(４１)は、前記保護フィルム(１０)の縁部上に内側に３０度から４５度の角度をもって、窪み部を形成しており、
前記内側延長部(４２)は、その一の側において傾きを有し且つ前記導入部(４１)と接続されるように曲線処理された延長側壁(４２ａ)と、所定の角度で、折り曲げられて延びる折曲部(４２ｂ)とを更に含み、
前記先端部(４３)が、前記折曲部(４２ｂ)の端部上に曲線状に形成されている請求項１に記載の携帯電話の保護フィルム構造。
【請求項４】
前記導入部(５１)は、前記保護フィルム(１０)の前記側壁(１１)又は前記延長側壁(４２ａ)から、所定の角度をもって前記内側に向かって窪んで形成されている請求項１又は３に記載の携帯電話の保護フィルム構造。
【請求項５】
前記内側延長部(６２)は、前記保護フィルム(１０)の前記内側へ向かって、両方向に分かれる二つの分割内側延長部(６２ｂ)からなる請求項１に記載の携帯電話の保護フィルム構造。
【請求項６】
前記分割内側延長部(６２ｂ)は、長状の分割内側延長部(６２ｃ)と、前記長状の分割内側延長部よりも相対的に短くなるように形成された短状の分割内側延長部(６２ｄ)として設けられている請求項５に記載の携帯電話の保護フィルム構造。
【請求項７】
前記内側延長部(６２)は、前記保護フィルム(１０)の前記内側へ向かって、三方向に分かれる三つの分割内側延長部(６２ｂ)からなる請求項１に記載の携帯電話の保護フィルム構造。
【請求項８】
前記先端部(２３、３３、４３、５３、６３)の外周部に沿って形成されている引き裂き防止部(７０)を、更に備えている請求項１に記載の携帯電話の保護フィルム構造。
【発明の詳細な説明】
【技術分野】
【０００１】
本発明は、携帯電話の保護フィルム構造に関し、より詳細には、携帯電話のディスプレー部、キーパッド部などを保護する薄膜状フィルムが、長期の間に、携帯電話の表面から浮遊したり離脱したりするといった現象を防止するように、フィルムの縁部周辺に接着促進手段を備えた携帯電話の保護フィルムの構造に関する。
【背景技術】
【０００２】
現在、携帯電話又は移動電話と一般に呼ばれている無線通信端末機は、現代人の必須品であって、キーパッド部などが取り付けられたインターフェースの使用方法に基づいて、フォルダ型、スライダ型、非フォルダ型の三つのタイプに分けられ得る。このようなタイプにかかわらず、一般に、携帯電話の上面には、金属材、合成樹脂材、又は合成樹脂材が被覆されている材料が用いられている。それにも拘わらず、日常生活の際に引っかきに脆弱であることから、引っかき傷が生じやすく、一般の電子機器に比べて相対的に高価な携帯電話の使用感を阻害するか、又は、特に、ＬＣＤパネルからなるディスプレー部の場合、手垢やタッチ後の油気が残留して、その画面がぼやけてしまう傾向があり、ティッシュペーパー等で頻繁に画面を拭き取らなければならないという不利点があった。
【０００３】
このような不利点を防止するため、韓国製の既製品又は実用新案においては、既に携帯電話を保護するための皮革、合成樹脂材からなるケーシングが開示されている。しかしながら、このようなケーシングは、さらに、その嵩が大きく厚肉であるという不利点があり、更に携帯電話がケーシングで覆われている状態でキーパッド部を押圧しなければならないという不便さがある上に、その見掛けがきれいではなく、その活用が減っているのが実情である。
【０００４】
その一方で、このような状況のもとで登場した薄膜タイプの携帯電話の保護フィルムは、携帯電話のディスプレー部を全体に覆って、携帯電話本来の機能或いは見掛けを両方とも損することなく有している。そのため、薄膜タイプの保護フィルムは、現在際立ってよく使用されてきており、このような利点のため、本出願人も、このような携帯電話の保護フィルムに関連して実用新案を出願したことがある。
【０００５】
保護フィルムがいくら薄膜タイプの利点を有しているとしても、任意の種類の接着剤を一面に塗布しない限り、薄膜フィルムの静電気力を使用することによって携帯電話の上面に付着される方式を取っているが、そのような方式では、一定の時間使用後に、保護フィルムが携帯電話の上面から離脱されやすいというさらに不利点がある。更に、そのような問題点を防止する目的として接着剤を保護フィルムに塗布することは、外見のことからしても良くなく、後で保護フィルムを携帯電話から剥き出す必要のある際には、携帯電話の表面を汚染させる。
【０００６】
加えて、一般に携帯電話の表面が、平板のプレート形状となっていなく、凸状に或いは曲線状に形成されているため、そのような構造を有した携帯電話の表面に保護フィルムを付着する場合は、特に、保護フィルムのエッジ（縁）部が携帯電話から浮遊してしまったり、更には、携帯電話に全く密着されていなく、不要な間隙が発生し、結局には、かかる間隙によって、保護フィルムが十分に携帯電話に付着されず、垂れ下がってしまうという別の不具合が発生する。
【発明の開示】
【発明が解決しようとする課題】
【０００７】
本発明は、上述の問題点に打ち勝つために考え出されたものであって、その目的は、携帯電話の平面部又は曲線状の構造によらず、携帯電話の表面において適切な密着力を保有することができる接着促進手段を備えた保護フィルムを提供することにより達成され、より長期の間に、携帯電話の特定の部位を保護することにある。
【０００８】
本発明の別の目的は、接着促進手段の形状に機能的多様性（ｄｉｖｅｒｓｉｔｙ)を付加することによって、接着力を保持する方式における多様性を提供により達成されている。
【０００９】
本発明の更に別の目的は、様々な形状を有した複数の接着促進手段が、保護フィルムに設けられるようにすることで達成され、その多様な発売モデルに応じて、携帯電話の特性を円滑に互換可能にするのみならずその接着力を強化しようとすることにある。
【課題を解決するための手段】
【００１０】
本発明に係る携帯電話の保護フィルム構造は、少なくとも一の接着促進手段２０、３０、４０、５０、６０を備え、保護フィルム１０の側壁１１から、所定の長さだけ、保護フィルムの内側に向かって窪んで形成され始める導入部２１、３１、４１、５１、６１と、上記導入部２１、３１、４１、５１、６１から保護フィルム１０の内側に延び、その内側の幅が外側よりも狭幅となる形状を有する内側延長部２２、３２、４２、５２、６２と、上記内側延長部２２、３２、４２、５２、６２の端部で曲線状に形成されている先端部２３、３３、４３、５３、６３とを備えた接着促進手段を含むことを特徴とする。
【００１１】
上記記載の目的を達成するために、本発明による携帯電話のための保護フィルム構造は、接着促進手段を備えることによって特徴付けられ、保護フィルム１０の側壁１１が、保護フィルムの内側に向かって所定の長さを有した窪みを形成し始める導入部２１、３１、４１、５１、６１を備え、内側がその外側よりもより狭幅になる保護フィルム１０の内側に向かって導入部２１、３１、４１、５１、６１から延びる内側延長部分２２、３２、４２、５２、６２と、内側延長部分２２、３２、４２、５２、６２の端部上に曲線状に形成された先端部２３、３３、４３、５３、６３とを備えている。
【００１２】
また、上記導入部４１は、保護フィルム１０のエッジ（縁）部上で内側に、３０度から４５度の角度をもって窪んで形成されており、上記内側延長部４２は、その一側に傾きを有し且つ上記導入部４１と接続されて曲線処理された延長側壁４２ａと、端部から他方の端部に伸び且つ所定の角度をもって折り曲げられて形成された折曲部４２ｂとを更に含み、上記先端部４３は、上記折曲部４２ｂの端部で曲線状に形成されていることを特徴とする。
【００１３】
加えて、上記先端部２３、３３、４３、５３、６３の外周面に沿って設けられた引き裂き防止部７０を更に備えることを特徴とする。
【発明の効果】
【００１４】
上記のような本発明に係る携帯電話の保護フィルムの利点によれば、保護フィルムが携帯電話から容易く外れることを防止し、携帯電話の様々なモデルに特定の薄い保護フィルム構造が脚光されている趨勢のもとで、曲線表面を有する携帯電話の付着部位において、不利点を防止することができる利点が得られる。
【００１５】
また、携帯電話の様々な付着部位に相応する密着力を強化することで、携帯電話の特定のモデルにかかわらず、汎用的に活用することができる別の利点が得られる。
【発明を実施するための最良の形態】
【００１６】
以下、添付の図面を参照しながら、本発明の好適な実施の形態について、詳細に説明していく。又、添付図面は、縮尺によって図示されてはいなく、各図中で同一の参照番号及び符号は、同じ構成要素を表している。
【００１７】
図１は、本発明に係る携帯電話の保護フィルム１０が、携帯電話１００の表面に付着されている様子を例示する斜視図である。
【００１８】
図１から明らかなように、本発明に係る保護フィルム１０は、携帯電話１００の特定の付着部位、例えば、ディスプレー部、キーパッド部、電池部、または、携帯電話の上面全体、ディスプレー部を除く残りの上面全体などに付着されるものであり、特に、図１では、保護フィルム１０が携帯電話１００の全体表面に付着されている様子を示している。
【００１９】
勿論のことながら、本発明に係る保護フィルム１０は、携帯電話１００の付着部位が平面か曲面かに依存することはないが、望ましくは、携帯電話の少なくとも一定の部位が曲面になっている場合、本発明による保護フィルム１０が追求する本来の機能を、より一層発揮できるようになる。
【００２０】
図２は、本発明に係る携帯電話の保護フィルム１０に設けられた接着促進手段２０、３０、４０、５０の様々な構造を示している拡大図である。
【００２１】
まず、接着促進手段２０、３０、４０、５０、６０は、基本的に、保護フィルム１０の内側に向かって、所定の幅と所定の長さだけ窪んで形成された溝又は隙間といった形状を有するものであり、導入部２１、３１、４１、５１、６１と、内側延長部２２、３２、４２、５２、６２と、先端部２３、３３、４３、５３、６３とからなっている。
【００２２】
導入部２１、３１、４１、５１、６１は、保護フィルム１０の側壁１１、すなわち、保護フィルム１０が、所定の幅をもって、保護フィルム１０の内側に向かって窪んで形成され始める。また、それについては後述するが、導入部２１、３１、４１、５１、６１の幅は、内側延長部２２、３２、４２、５２、６２の幅よりも厚く構成されている。また、保護フィルム１０の側辺から導入部２１、３１、４１、５１、６１が、保護フィルム１０の内側に向かって窪んで形成される角度は、所定の角度の範囲に限定されることなく、保護フィルム１０の側壁１１にほぼ垂直の角度をなすのが、最も一般的である。また、その角度に応じて、様々な導入部２１、３１、４１、５１、６１の構造が導出され、それについては後述する。
【００２３】
内側延長部２２、３２、４２、５２、６２は、導入部２１、３１、４１、５１、６１から形成された部分が、保護フィルム１０の内側に向かって、所定の長さだけ延びた構造とされている。内側延長部２２、３２、４２、５２、６２の端部、すなわち、その先端部２３、３３、４３、５３、６３に延長されるほど、狭幅となる構成とされている。その代わりに、内側が外側より狭くなるという線形形状というよりむしろ、所定の曲率を有して、流線状(ｓｔｒｅａｍｌｉｎｅ  ｓｈａｐｅ)又は半楕円の弧状のように、滑らかに内側方向に延びながら、狭幅となるのが、より好ましい。内側延長部２２、３２、４２、５２、６２の幅は、導入部２１、３１、４１、５１、６１の幅よりも狭幅となっており、結局、導入部２１、３１、４１、５１、６１と内側延長部２２、３２、４２、５２、６２との全体的な形状は、統計グラフにおいて一般的な正規分布図のような曲線形状と同様な形状を有するようになる。
【００２４】
先端部２３、３３、４３、５３、６３は、内側延長部２２、３２、４２、５２、６２の端部である。本明細書中で、その先端部２３、３３、４３、５３、６３の形状は、鋭い形状というよりは、円滑な形状又、すなわち、切片(ｆｉｌｌｅｔ)処理された形状と同様に、曲線状に形成されている。これは、一定の衝撃から、先端部２３、３３、４３、５３、６３が容易に引き裂けることを防止するためのものである。
【００２５】
このような構造及び形状となっている接着促進手段２０、３０、４０、５０、６０は、保護フィルム１０と携帯電話１００の接着部位で、接着力が増すことを促進する機能を果たしている。
【００２６】
すなわち、例えば、携帯電話１００の付着部位が、側面からみた時、数学における２次以上の曲線の場合を例にとって説明され、変曲点又は最大値及び最小値を有する、つまり、一般に、扁平な状態となっている保護フィルム１０を、携帯電話１００の付着部位に完全に付着すると、接着部分が完全に密着されず、一定の部分で浮遊されてしまうことが明らかである。また、強いて付着を行わせると、保護フィルム１０が歪んだり縮みこんだりして、結局、長期の間に、保護フィルム１０が、携帯電話１００の表面に留まることができない(浮遊する)ようになってしまい、保護フィルム１０の本来の機能を行えないという逆効果が現れる。そのため、携帯電話１００の曲線形状に相当する部位に相応する保護フィルム１０の側壁１１部位の領域に、一定の隙間を持たせて形成されている。また、その構造は、導入部２１、３１、４１、５１、６１と、内側延長部２２、３２、４２、５２、６２と、先端部２３、３３、４３、５３、６３とから構成された接着促進手段２０、３０、４０、５０、６０を形成し、保護フィルム１０が携帯電話１００の曲線表面に応じて、密着されることを目的として、接触面を形成する。その結果、保護フィルム１０が、皺んだり、一定の部位が浮遊したり、しわになったりして、携帯電話の付着部位で完全に密着接触できず、不要な間隙ができてしまうことを、適切に防止する役目を果たすものである。
【００２７】
このような接着促進手段２０、３０、４０、５０、６０が、先に触れたように統計グラフの正規分布曲線に沿わなければならない理由は、方形状(四角形)のような携帯電話の縁部構造というよりもむしろ、携帯電話１００の曲線状接着部位に、より可撓性を有して保護フィルムを移動させることができるためである。
【００２８】
図２は、本発明による接着促進手段２０、３０、４０、５０、６０の様々な実施の形態を示している。本明細書中で、まず、図２(ａ)は、本発明に係る第１の実施の形態として、曲線型導入部を有した接着促進手段２０と名付けられる実施形態を示すものであり、上述の導入部２１と保護フィルム１０の側壁１１との境界部位に、曲率(曲線)処理された切片部２４を備えている。
【００２９】
結果として、導入部２１と保護フィルム１０の側壁１１との境界部位の曲線処理した切片部２４によって、導入部２１と保護フィルム１０の側壁１１との境界部位に作用する外部の荷重圧力を減らすことができ、結果として、導入部２１と保護フィルム１０の側壁１１との境界部位が、容易に引き裂けてしまうことを防止することができる。
【００３０】
図２(ｂ)は、本発明に係る第二の実施の形態として、本発明による垂直型導入部を有した接着促進手段３０と名付けられる実施形態を示す図であり、導入部２１と保護フィルム１０の側壁１１との境界部位に、曲線型導入部を有した接着促進手段２０に形成された切片部２４に代えて、垂直部３４が形成されているものである。かかる垂直部３４は、仮に、非常に多くの突出手段又は構成要素を有した携帯電話１０の接着部位が、導入部３１と保護フィルム１０の側壁１１との境界部位に相応する部位であれば、導入部３１と保護フィルムの側壁１１との境界部位が、その突出手段などの形状に丁度適合して密着されなければならない。もし、その際に、曲率処理された切片部２４が用いられると、その接着部位に間隙が形成されるか、又は、保護フィルム１０が当該携帯電話１００の接着部位を覆えない事もあり得る。それで、そのような欠如を防止するために、第二実施形態は導入部３１から内側延長部３２に延び始める部位を、９０度の角度で形成した垂直部３４を具備して、この実施形態は、接着部分で多数の突起を有して形成された携帯電話１００の特定のタイプに使用することが出来る。
【００３１】
図２(ｃ)は、本発明に係る第三の実施形態に関するものである。本発明に係る第３の実施の形態は、いわゆるコーナー用の接着促進手段４０に関するものである。この実施形態は、主として、携帯電話１００のコーナー部の接着部分に容易な接着をするために、保護フィルムのコーナー部に取り付けられてもよい。本明細書中で、導入部４１は、ほぼ一定の長さを有した方形状に相当する保護フィルム１０の領域部を取り去ることにより、直接内側延長部４２に接続されるようになっている。
【００３２】
内側延長部４２は、導入部４１から直接延長されて、概ね曲線処理されている。その曲線の傾きが僅かで、略偏平な延長側壁４２ａを有しており、保護フィルムのコーナー部又は導入部４１との上側境界地点(図面を基準とする)から、略３０度から４５度の角度で内側方向に延びている形状を有している。更に、内側延長部４２は、その延長線上で、ある方向、即ち、上側或いは下側に、部分的に折り曲げられて延びる折曲部４２ｂを有しており、該折曲部４２ｂの端部には、先端部４３が形成されている構造を有する。
【００３３】
本明細書内で、ここで、内側延長部４２が、導入部４１又は保護フィルム１０のコーナー部と所定の角度を成している理由が以下に示され、保護フィルム１０の構造上、コーナー角を有するので、結果的に内側延長部４２の上端に位置した保護フィルム１０の部位と携帯電話１００との間の接着において弾力的な可撓性を持たせるようにするためには、内側延長部４２が、コーナー角と平行に延びるか、又は、微角で傾斜して延びると、内側延長部４２の上端に、保護フィルム１０が全く形成されないたり、微弱に形成されたりして、容易に引き裂けてしまう恐れがある。そのような問題を解決するために、所定の角度(傾き)を付けてから内側に向けて延びるようにして且つ、その上端の保護フィルム１０の部位の適切な面積を確保するようにし、保護フィルム１０のコーナー部が、携帯電話１００のコーナー部の接着部位と接触する一定の可撓性を持たせるために提供される。加えて、折曲部４２ｂは、上記で説明した傾きを保った状態で、内側方向にのみ内側延長部４２が延びると、その保護フィルム１０の上端と適応する部分上に適した突出形状を有しにくく、携帯電話１００のコーナー部に保護フィルム１０が付着される時、弾力的な可撓性を提供するために形成されたものである。この折曲部４２ｂによって、その上端の保護フィルム１０の部位が突出形状を有するようになるので、保護フィルム１０の部位の携帯電話付着活用度を高めることが可能になる。このような折曲部４２ｂの端部にも、円滑にするために曲率処理された(鈍らせている)尖端部が形成されている。
【００３４】
図２(ｄ)は、本発明に係る第４の実施形態に関するものである。本発明に係る第４の実施形態は、いわゆる補強用の接着促進手段５０に関するものである。この実施形態は、付加的な裂け目を活用し、この裂け目は、２次以上の曲線からなる携帯電話１００の表面部位、又は、たとえば携帯電話１００のエッジ（縁）部のような付加的な接着力を要する表面のために使用され、保護フィルム１０自体がより可撓性のある携帯電話１００に付着される。確実にするために、補強用の接着促進手段５０の導入部５１は、保護フィルム１０の一側壁から開始されてもよい。しかしながら、望ましくは、図３に示されたように、接着促進手段４０の延長側壁４２ａから開始されてもよく、また、必要に応じて、他のタイプの接着促進手段２０、３０の導入部２１、３１の周辺から開始されることも可能である。
【００３５】
もしも、接着促進手段５０が、接着促進手段４０の延長側壁４２ａから形成され始める場合は、一般に、保護フィルム１０が携帯電話１００のエッジ（縁）部から離脱し始めるため、上記のような問題点を防止する機能を強化するために考え出されたものである。それまでの間、２次以上の曲線からなる携帯電話の表面部位が、突起を有した接着領域に薄膜の保護フィルム１０が密着しにくいといった状況で、かかる複雑な携帯電話１００の表面部位に相応する保護フィルム１０の複数の隙間又は溝を形成する意味がある。
【００３６】
接着促進手段５０も、上述の導入部５１と内側延長部５２とを有し、折曲部５２ｂを更に有してもよい。この折曲部５２ｂが設けられた場合には、その端部に先端部５３が形成されている。特に、導入部５１は、保護フィルム１０の側壁１１又は延長側壁４２ａから、垂直ではなくわずかに傾斜した内側に向かって形成されている。これは、各携帯電話１００の表面構造によって、場合に応じては、その表面構造に合わせて傾斜した導入部５１と、それから延びた内側延長部５２とを有することができることを意味する。
【００３７】
図２(ｅ)は、本発明に係る第５の実施の形態に関するものである。本発明に係る第５の実施形態は、いわゆるコーナー用の付加的な接着促進手段６０に関するものであり、第３の実施形態と同様に、携帯電話のコーナー部を接着するために使用されるものである。
【００３８】
具体的には、導入部６１は、保護フィルム１０の側壁１１から、フィルム１０の内側に向かって形成されている。本明細書中で、導入部６０の幅は、他のタイプの導入部６０よりも広幅となるように構成されている。この導入部から、内側延長部６２が形成され、フィルム１０の内側に行くほど狭幅となるように延びている。内側延長部６２は、両方向に分けられて進行する二つの分割内側延長部６２ｂを備えている。すなわち、内側延長部６２の端部地点が両方向に分割されて、フィルム１０の内側に向かって更により深く形成され、その結果、分割内側延長部６２ｂが作られる。
【００３９】
この分割内側延長部６２ｂの端部にも、先端部６３が曲線状に(曲率処理された)形成されている。
【００４０】
このような付加的なコーナー用の接着促進手段６０は、携帯電話の接着部位のうちで、コーナー部が脆弱である不利点を、本発明者が改めて認識して工夫した形状であって、本明細書中で、導入部６０の幅が広幅となっているが、内側延長部６２を両方向でフィルム１０の内側に向かって更に進行するようにすることで形成された分割内側延長部６２ｂによって、フィルム１０のコーナー部周辺の付加的な突出部位を、二箇所形成するようにした。上記の二つの突出部位によって、携帯電話に付着される接着力を、より一層増強した構造となるものである。
【００４１】
図２(ｆ)は、本発明に係る第６の実施形態に関するものである。本発明に係る第６の実施形態では、上記図２(ｅ)のコーナー用の付加的な接着促進手段６０を変形したものについて示しており、それを、コーナー用の変形された付加的な接着促進手段６０という。具体的に、コーナー用の変形された付加的な接着促進手段６０は、コーナー用の付加的な接着促進手段６０と同様な構成及び機能を有している。しかしながら、この実施形態は以下を備えている。即ち、図２(ｅ)に示されるように、二つの分割内側延長部６２ｂのいずれか一方を、他方よりも長く形成してなる長状の内側延長部６２ｃと、上記長状の内側延長部６２ｃよりも相対的に短い長さを有する短状の分割内側延長部６２ｄとからなっている。このように、相互に長さの異なる分割内側延長部６２ｃ、６２ｄを設けた理由は、その際に、長状の分割内側延長部６２ｃの突出部位が、携帯電話のコーナー部に接触され得る蓋然性を高めて、短状の分割内側延長部６２ｄによる突出部位と差別化することで、様々な突起を有した携帯電話上の近接した接着が強化されるようにするためである。
【００４２】
図２(ｇ)は、本発明に係る第７の実施形態に関するものであり、上記第５の変形実施形態である。具体的に、第７の実施形態では、分割内側延長部６２ｂを３箇所形成して、携帯電話の丸められている部分にフィルム１０を付着する場合、最も優れた付着力を提供するためのものである。このような三つの分割内側延長部６２ｂからなる多数の突出部位が増えることで、この実施形態は、第５の実施形態よりも、コーナー部での接着力をより増加させることができる。
【００４３】
図３は、本発明に係る携帯電話の保護フィルム１０に対する正面図を示している。
【００４４】
図３を参照すれば、保護フィルム１０は、中央部分に複数の開口部１２を備えている。この開口部１２は、選択的な構成要素であって、この開口部を設けなくてもよい。しかしながら、もし、該開口部１２を設けられた場合は、ディスプレー部のような携帯電話１００の平坦部に、付加的な保護フィルムを付着させることが可能にさせるためである。
【００４５】
図３においては、保護フィルム１０の側壁１１に例示的に、曲線型導入部の接着促進手段２０が形成されていることを示している。しかし、本発明は、これに限定されていない。それまでの間、保護フィルムの側壁１１の各位置、又は所望の間隔を隔てて、複数の接着促進手段２０、３０、４０、５０、６０を形成してもよいことは、言うまでもない。
【００４６】
図４は、本発明に係る携帯電話の保護フィルム１０についての別の例示を示す正面図である。
【００４７】
図４から分かるように、本発明に係る各種の接着促進手段２０、３０、４０、５０は、一つの保護フィルム１０において、各側壁１１の位置に応じて、対称的又は非対称的に、複数形成される構成とすることができる。特に、図４から理解できるように、コーナー用の接着促進手段４０内に、補強用の接着促進手段５０が、付加的に形成されたことから明らかなように、補強用の接着手段５０は、他のタイプの接着促進手段２０、３０、４０を補強する用途として使用されるのが、より望ましい。
【００４８】
図５は、本発明に係る接着促進手段のうち、特にコーナー用の付加的な接触促進手段６０が形成された保護フィルム１０を、携帯電話に付着した様子を示す図である。
【００４９】
図５から分かるように、保護フィルム１０のコーナー部には、本発明に係る第５の実施形態における接着促進手段６０が形成されている。これにより、本発明に係る保護フィルム１０と携帯電話のコーナー部との間での接着力を、より一層確実にすることができるようになる。
【００５０】
図６は、本発明に係る接着促進手段２０、３０、４０、５０、６０に付加的に設けられる引き裂き防止部７０を示す部分拡大正面図である。
【００５１】
接着促進手段２０、３０、４０、５０、６０は、その形状の側面を考慮して、保護フィルム１０の側壁１１から、隙間又は溝を掘って形成されたものである。そのため、その端部である先端部２３、３３、４３、５３、６３は、他の部位よりも狭幅となっており、荷重の圧力値が高くなって、容易に引き裂けてしまう恐れを排除することができない。結果的に、このような問題点を防止するためには、先端部２３、３３、４３、５３、６３は、先端部２３、３３、４３、５３、６３の外周に沿って、他の部分よりも厚くなっているか、又は耐久力の強い、合成樹脂材からなる引き裂き防止部７０が、付加的に形成されている。
【００５２】
これによって、接着促進手段２０、３０、４０、５０、６０は、僅かな外部の衝撃に対して、保護フィルム１０の内側が容易く引き裂けてしまう不具合に打ち勝ち、より長期の間に、保護フィルム１０を携帯電話１００に適切に付着したままで用いられるようになる。
【００５３】
上述のように、特定の実施の形態を参照しながら、本発明に係る携帯電話の保護フィルムの構造及び作用・効果について詳解してきた。しかしながら、例示の一つの態様として本発明を開示してきたのであり、本明細書の記載内容を限定的に解釈すべきではない。結果的に本発明の要旨を逸脱しない範囲において、当業者が該実施形態の修正や代用を成し得ることは自明である。
【図面の簡単な説明】
【００５４】
【図１】図１は、本発明に係る携帯電話の保護フィルムが携帯電話の表面に付着された様子を示す斜視図である。
【図２】図２は、本発明に係る携帯電話の保護フィルムに設けられた接着促進手段についての様々な構造を示す部分拡大図である。
【図３】図３は、本発明に係る接着促進手段を備えた保護フィルム構造の具体的な構造を示す正面図である。
【図４】図４は、本発明に係る接着促進手段を備えた保護フィルム構造の別の具体的な構造を示す正面図である。
【図５】図５は、本発明に係る接着促進手段を備えた保護フィルム構造の別の具体的な構造を示す正面図である。
【図６】図６は、本発明に係る保護フィルムに付加的に設けられる引き裂き(ｓｐｌｉｔ)防止部を示す部分拡大図である。
【符号の説明】
【００５５】
１０    保護フィルム
１２    開口部
１１    側壁
２４    切片部
２０、３０、４０、５０、６０    接着促進手段
４２ａ    延長側壁
２１、３１、４１、５１    導入部
４２ｂ、５２ｂ    折曲部
２２、３２、４２、５２    内側延長部
６２ｂ、６２ｃ、６２ｄ    分割内側延長部
２３、３３、４３、５３    先端部
７０    引き裂き(ｓｐｌｉｔ)防止部
【図１】
2009505606.tif 000003
【図２】
2009505606.tif 000004
【図３】
2009505606.tif 000005
【図４】
2009505606.tif 000006
【図５】
2009505606.tif 000007
【図６】
2009505606.tif 000008
【国際調査報告】
2009505606.tif 000009
2009505606.tif 000010